(57)【特許請求の範囲】
【請求項１】
パチンコ機が出力する遊技状態に関する信号を入力して所定の表示を行うパチンコ機の表示装置において、
パチンコ機で遊技を行っている遊技者以外の者が視認可能な位置に、複数のパチンコ機に対応して当該複数のパチンコ機とは別体に配置され、ドットマトリクスによるパターン表示が可能なディスプレイと、
上記複数のパチンコ機からそれぞれ出力される各表示制御信号および複数のパチンコ機にそれぞれ配置された液晶表示器において表示される画像を表す各映像信号を入力可能であるとともに、ホールコンピュータから出力される表示制御信号および選択用の制御信号を入力可能であり、上記選択用の制御信号は上記各映像信号のうちいずれか一つを選択せしめるとともに、上記複数のパチンコ機にかかる各表示制御信号および上記ホールコンピュータからの表示制御信号のうちいずれか一つを選択せしめる信号であり、上記選択用の制御信号によって選択した表示制御信号がいずれかのパチンコ機からの信号であってランダムに変化する画像を表示させるための信号である場合には、上記選択用の制御信号によって選択した映像信号に基づいて、いずれかのパチンコ機の液晶表示器にて所定の入賞状態でランダムに変化する画像と同一の画像を上記ディスプレイに表示させるとともに、上記選択用の制御信号が上記ホールコンピュータからの表示制御信号を選択させるものである場合には、上記ホールコンピュータからの表示制御信号に対応したメッセージを上記ディスプレイに表示させる表示制御手段と、を具備することを特徴とするパチンコ機の表示装置。
【請求項２】
上記請求項１に記載のパチンコ機の表示装置において、
上記表示制御手段は、上記選択用の制御信号に基づいて、所定時間毎に上記パチンコ機からの表示制御信号よりも上記ホールコンピュータからの表示制御信号を選択することを特徴とするパチンコ機の表示装置。
【請求項３】
上記請求項１または請求項２のいずれかに記載のパチンコ機の表示装置において、
上記表示制御手段は、上記各液晶表示器において表示される画像を表す各映像信号のうちいずれか一つを選択する第一切替器と、上記複数のパチンコからそれぞれ出力される上記表示制御信号および上記ホールコンピュータから出力される表示制御信号のうちいずれか一つを選択する第二切替器とを備え、第一切替器と第二切替器とは、上記選択用の制御信号に基づいて互いに独立に信号の選択を行なうことを特徴とするパチンコ機の表示装置。
【発明の詳細な説明】
【０００１】
【発明の属する技術分野】
本発明は、パチンコ機の表示装置に関し、特に、パチンコ機の上方に配設される表示装置に関する。
【０００２】
【従来の技術】
従来、この種のパチンコ機の表示装置として、特開昭６４−２０８７７号公報に示すものが知られている。
同公報に示す装置は、パチンコ機から入賞を表す信号などを入力し、これに合わせてランプを点滅させている。
【０００３】
【発明が解決しようとする課題】
上述した従来のパチンコ機の表示装置においては、遊技内容に合わせてランプの点滅程度を行なうものであり、周囲の遊技者に対して入賞があったことや大当たりがあったことを告知せしめる効果が少なく、遊技場全体における出玉状況などを遊技者が知りにくかった。
また、近年のパチンコ機においては、遊技状態に合わせて出玉数を増やすための遊技方法があるが、遊技者がこの遊技方法を知らない場合には大当たりとなったときに店員が個別に教えなければならず、有効に遊技を楽しめないことがあるという課題があった。
【０００４】
本発明は、上記課題にかんがみてなされたもので、遊技状態を積極的に周囲の人間に知らしめて、遊技場全体の雰囲気を向上せしめることが可能なパチンコ機の表示装置の提供を目的とする。
【０００５】
【課題を解決するための手段】
上記目的を達成するため、請求項１にかかる発明は、パチンコ機が出力する遊技状態に関する信号を入力して所定の表示を行うパチンコ機の表示装置において、パチンコ機で遊技を行っている遊技者以外の者が視認可能な位置に、複数のパチンコ機に対応して当該複数のパチンコ機とは別体に配置され、ドットマトリクスによるパターン表示が可能なディスプレイと、上記複数のパチンコ機からそれぞれ出力される各表示制御信号および複数のパチンコ機にそれぞれ配置された液晶表示器において表示される画像を表す各映像信号を入力可能であるとともに、ホールコンピュータから出力される表示制御信号および選択用の制御信号を入力可能であり、上記選択用の制御信号は上記各映像信号のうちいずれか一つを選択せしめるとともに、上記複数のパチンコ機にかかる各表示制御信号および上記ホールコンピュータからの表示制御信号のうちいずれか一つを選択せしめる信号であり、上記選択用の制御信号によって選択した表示制御信号がいずれかのパチンコ機からの信号であってランダムに変化する画像を表示させるための信号である場合には、上記選択用の制御信号によって選択した映像信号に基づいて、いずれかのパチンコ機の液晶表示器にて所定の入賞状態でランダムに変化する画像と同一の画像を上記ディスプレイに表示させるとともに、上記選択用の制御信号が上記ホールコンピュータからの表示制御信号を選択させるものである場合には、上記ホールコンピュータからの表示制御信号に対応したメッセージを上記ディスプレイに表示させる表示制御手段と、を具備する構成としてある。
また、請求項２にかかる発明は、上記請求項１に記載のパチンコ機の表示装置において、上記表示制御手段は、上記選択用の制御信号に基づいて、所定時間毎に上記パチンコ機からの表示制御信号よりも上記ホールコンピュータからの表示制御信号を選択する構成としてある。
さらに、請求項３にかかる発明は、上記請求項１または請求項２のいずれかに記載のパチンコ機の表示装置において、上記表示制御手段は、上記各液晶表示器において表示される画像を表す各映像信号のうちいずれか一つを選択する第一切替器と、上記複数のパチンコからそれぞれ出力される上記表示制御信号および上記ホールコンピュータから出力される表示制御信号のうちいずれか一つを選択する第二切替器とを備え、第一切替器と第二切替器とは、上記選択用の制御信号に基づいて互いに独立に信号の選択を行なう構成としてある。
【０００６】
【作用】
上記のように構成した請求項１にかかる発明においては、表示制御手段が、上記複数のパチンコ機からそれぞれ出力される各表示制御信号および複数のパチンコ機にそれぞれ配置された液晶表示器において表示される画像を表す各映像信号を入力可能であるとともに、ホールコンピュータから出力される表示制御信号および選択用の制御信号を入力可能であり、上記選択用の制御信号は上記各映像信号のうちいずれか一つを選択せしめるとともに、上記複数のパチンコ機にかかる各表示制御信号および上記ホールコンピュータからの表示制御信号のうちいずれか一つを選択せしめる信号であり、上記選択用の制御信号によって選択した表示制御信号がいずれかのパチンコ機からの信号であってランダムに変化する画像を表示させるための信号である場合には、上記選択用の制御信号によって選択した映像信号に基づいて、いずれかのパチンコ機の液晶表示器にて所定の入賞状態でランダムに変化する画像と同一の画像を上記ディスプレイに表示させるとともに、上記選択用の制御信号が上記ホールコンピュータからの表示制御信号を選択させるものである場合には、上記ホールコンピュータからの表示制御信号に対応したメッセージを上記ディスプレイに表示させる。
すなわち、パチンコ機上にてディスプレイに、同パチンコ機に配置された液晶表示器にて所定の入賞状態でランダムに変化する画像と同一の画像を表示せしめ、積極的に周囲の遊技者に対して告知する。場合によっては遊技状態に応じた遊技方法などを表示せしめ、遊技者自身と他の遊技者に対して遊技方法を教える。
【０００７】
また、上記表示制御手段は、ホールコンピュータが出力する表示制御信号を選択した場合には、この表示制御信号に応じたメッセージを上記ディスプレイに表示せしめる。すなわち、ホールの宣伝やお知らせなどのパターンを表示せしめ、積極的に周囲の遊技者に対して告知する。
さらに、上記のように構成した請求項２にかかる発明においては、上記表示制御手段は、上記選択用の制御信号に基づいて、所定時間毎に上記パチンコ機からの表示制御信号よりも上記ホールコンピュータからの表示制御信号を選択する。
さらに、上記のように構成した請求項３にかかる発明において、上記表示制御手段は、上記各液晶表示器において表示される画像を表す各映像信号のうちいずれか一つを選択する第一切替器と、上記複数のパチンコからそれぞれ出力される上記表示制御信号および上記ホールコンピュータから出力される表示制御信号のうちいずれか一つを選択する第二切替器とを備え、第一切替器と第二切替器とは、上記選択用の制御信号に基づいて互いに独立に信号の選択を行なう。
【０００８】
【発明の効果】
以上説明したように本発明は、パチンコ機に配置された液晶表示器にて所定の入賞状態でランダムに変化する画像と同一の画像の表示よりも優先させつつ、ホールコンピュータが出力する情報信号に基づいて、ホールの宣伝やお知らせなどのメッセージを上記ディスプレイに表示せしめ、遊技者に効果的な告知を行うことが可能なパチンコ機の表示装置を提供することができる。
【０００９】
また、上記請求項２にかかる発明によれば、ホールコンピュータからの制御により、上記ディスプレイに適した表示を効果的に行わせることができる。
さらに、上記請求項３にかかる発明によれば、パチンコ機の液晶表示器での所定の入賞状態でランダムに変化する画像と同一画像の表示と、メッセージ表示とを効率良く行い、効果的な表示を実現することができる。
【００１０】
【実施例】
以下、図面にもとづいて本発明の実施形態を説明する。
図１は本発明の一実施例にかかる表示装置が配設されたパチンコ機を正面から見た状態を示しており、図２は表示装置のブロック図である。
【００１１】
図において、パチンコ機１０における遊技盤の中心には液晶表示器１１が配設されており、当該パチンコ機１０の上方には表示装置２０のＣＲＴディスプレイ２１が配設されている。
パチンコ機１０の裏面には当該パチンコ機１０の制御を行なうパチンコ制御装置１２が配設されている。このパチンコ制御装置１２は、通常の入賞球を検出する第一入賞センサ１３と、可変表示を始動させる入賞球を検出する第二入賞センサ１４とを備え、両センサ１３，１４は入賞判定部１５に接続されている。
【００１２】
入賞判定部１５には駆動系制御部１６とＬＣＤ表示制御部１７とが接続されており、同駆動系制御部１６は上記入賞判定部１５から出力される制御信号に基づいて必要量の貸し玉を放出せしめたり可動型のやくものなどを駆動せしめ、同ＬＣＤ表示制御部１７は上記入賞判定部１５から出力される表示制御信号に基づいて上記液晶表示器１１にビデオ信号を出力する。
【００１３】
ここで、表示制御信号は三桁の数字列に対応しており、例えば表示制御信号が”１”を表すときにＬＣＤ表示制御部１７は”１１１”を表示せしめるビデオ信号を上記液晶表示器１１に出力し、同様に”２”であれば”２２２”を表示せしめるビデオ信号を出力する。なお、上記液晶表示器１１はこのＬＣＤ表示制御部１７から出力されるビデオ信号を入力し、当該ビデオ信号により表される画像を表示する。
【００１４】
一方、表示装置２０はこのパチンコ制御装置１２から上記表示制御信号を入力するメッセージ表示部２３を備えており、同メッセージ表示部２３は上記表示制御信号を入力して予め対応付けされた所定のメッセージを表示せしめるためのビデオ信号を出力する。
同メッセージ表示部２３が出力するビデオ信号と上記パチンコ制御装置１２が出力するビデオ信号は選択部２４に入力され、同選択部２４は選択制御部２５が出力する制御信号に応じていずれか一方のビデオ信号を上記ディスプレイ２１に出力する。
【００１５】
この選択制御部２５は上記表示制御信号を入力し、この表示制御信号に応じた上記制御信号を選択部２４に出力する。ここで、メッセージ表示部２３は上記表示制御信号が大当たりを示すような場合に図３および図４に示すように入賞球の判定である「大当たり！！」を表示せしめたり、「右打ちして下さい！！」などの遊技方法を指示するように表示せしめたりするものであり、表示制御信号で表される入賞の判定に基づいて選択制御部２５はメッセージ表示部２３が出力するビデオ信号を上記ディスプレイ２１に入力せしめる必要がある場合に限って選択部２４に対してメッセージ表示部２３の側を選択せしめる。
【００１６】
なお、メッセージ表示部２３は脱着可能なＲＯＭ２６を備えており、当該ＲＯＭ２６に記憶されたデータとプログラムに従って表示制御信号に対応した各種のメッセージを表示せしめる。そして、このＲＯＭ２６を差し替えることにより、同メッセージ表示部２３はパチンコ制御装置１２の種類に応じた適切なメッセージを表示せしめる。
【００１７】
一方、上記ディスプレイ２１はビデオ信号を入力するカラーＣＲＴで構成されており、液晶表示器１１と同じビデオ信号を入力した場合には同じ表示を行なっている。なお、上記ディスプレイ２１は縦横方向に配列した多数のＬＥＤを備えて構成してもよい。このとき、そのドット配列は上記液晶表示器１１に対応して構成し、ビデオ信号に対応したドットマトリクスによるパターン表示が可能なようにしておく。
【００１８】
次に、上記構成からなる本実施例の動作を説明する。
遊技者が遊技を行なっているときに遊技球が通常の入賞孔に入ったとする。この場合、第一入賞センサ１３が当該入賞球を検知し、入賞判定部１５は同第一入賞センサ１３の出力信号に基づいて通常の入賞と判定するとともに駆動系制御部１６に制御信号を出力して当該入賞に対応する貸し玉を放出せしめる。また、必要に応じて可動型のやくものを動かすのであれば所定の制御信号を同駆動系制御部１６に出力する。
【００１９】
これに対し、遊技球が可変表示を始動させる入賞孔に入ったとすると、第二入賞センサ１４が当該入賞球を検知し、入賞判定部１５は同第二入賞センサ１４の検知結果に基づいて一定時間だけランダムな表示制御信号をＬＣＤ表示制御部１７に出力する。同ＬＣＤ表示制御部１７はランダムな表示制御信号を入力し、それぞれに応じた三桁の数字列を表示せしめるためにビデオ信号を液晶表示器１１に出力する。これにより、液晶表示器１１は三桁の数字列がランダムに変化する状態を表示する。
【００２０】
一方、表示装置２０における選択制御部２５は、ランダムな表示制御信号を入力している間は選択部２４に対してＬＣＤ表示制御部１７から出力されるビデオ信号を選択せしめており、ディスプレイ２１は選択部２４を介して入力されるＬＣＤ表示制御部１７からのビデオ信号に対応した表示を行なう。すなわち、遊技者の正面に位置する遊技盤の中央では液晶表示器１１上にランダムに変化する三桁の数字が表示され、また、パチンコ機１０の上方に配設されたディスプレイ２１においても全く同じ画面が表示される。
【００２１】
従って、遊技者以外の者も同ディスプレイ２１を遠方より視認でき、遊技球が可変表示を始動させる入賞孔に入ったことを認識できる。
一方、ランダムな表示を始めてから一定時間経過後に、入賞判定部１５は一の表示制御信号を決定して当該表示制御信号を継続して出力する。いま、この表示制御信号が大当たりを表す”７”であったとすると、ＬＣＤ表示制御部１７は液晶表示器１１に対して”７７７”を表示せしめるビデオ信号を出力し、同液晶表示器１１は遊技者の正面で”７７７”を表示する。また、ディスプレイ２１においても図３に示すような”７７７”の表示を行なう。
【００２２】
表示制御信号が”７”で一定となると、メッセージ表示部２３はＲＯＭ２６に記憶されたプログラムに基づいて当該表示制御信号を解析し、大当たりであると判定する。そして、同メッセージ表示部２３はＲＯＭ２６に記憶されたデータに基づく大当たりのデコレーションを表示せしめるビデオ信号を選択部２４に対して出力する。また、選択制御部２５においても同表示制御信号を入力しており、表示制御信号が”７”で一定となると選択部２４に対して制御信号を出力し、メッセージ表示部２３が出力するビデオ信号を選択せしめる。
【００２３】
これにより、ディスプレイ２１上にはメッセージ表示部２３が出力する大当たりのデコレーションが表示される。続いて、同メッセージ表示部２３は、例えば、図４に示すように大当たりのときに適した「右打ち」を指示するための表示を行なう。そして、一定時間経過して大当たりが終了したときには大当たりが終了した旨の表示を行なう。
【００２４】
かかるディスプレイ２１上の表示は遊技ホール内の遠方からも良く視認でき、多数の遊技者が当該パチンコ機１０にて大当たりが発生したことを認識することができる。また、ＲＯＭ２６のデータを書き換えて適宜表示を変更せしめることも可能であり、所定期間ごとにＲＯＭ２６を交換すればホール内の雰囲気を変化させることもできる。
【００２５】
この間、選択制御部２５は選択部２４に対してメッセージ表示部２３が出力するビデオ信号を選択せしめているが、メッセージ表示部２３が大当たりの終了を表示するのに合わせて再度ＬＣＤ表示制御部１７が出力するビデオ信号を選択せしめる。従って、ディスプレイ２１には遊技者の正面にある液晶表示器１１と同じ表示がなされる。
【００２６】
なお、上述した実施例においては、パチンコ機１０にパターン表示を可能な液晶表示器１１が配設されているが、図５に示すように、入賞判定部１５が出力する表示制御信号をＬＥＤコントローラ１８に入力せしめ、当該ＬＥＤコントローラ１８がこの表示制御信号に対応した上記三桁の数字列を７セグメントのＬＥＤ表示器１９上に表示させるパチンコ機１０においても使用することができる。
【００２７】
かかる場合には、表示装置２０内に備えていた選択部２４と選択制御部２５が不要となり、メッセージ表示部２３が表示制御信号に応じたビデオ信号を出力し続けるようにする。
すなわち、メッセージ表示部２３は常に表示制御信号に応じた三桁の数字列などを表すビデオ信号を出力し、ディスプレイ２１は当該ビデオ信号を入力して三桁の数字列を表示したり、入賞の判定に応じて対応するデコレーションや遊技方法を指示するメッセージなどを表示する。
【００２８】
これまでの実施例においては、パチンコ機１０と表示装置２０とが一対一に対応しているが、図６に示すように、複数のパチンコ機１０に対して一台の表示装置２０を備えるようにしてもよい。
同図において、複数のパチンコ制御装置１２からはビデオ信号と表示制御信号とが出力されており、ビデオ信号は第一切替器２７に入力され、表示制御信号は第二切替器２８に入力されている。第一切替器２７と第二切替器２８は入力される信号のうちいずれか一つを選択して出力するものであり、その選択は、例えば、ホールコンピュータ３０が出力する制御信号に応じて決定されている。なお、同ホールコンピュータ３０は第二切替器２８に対してホールからのメッセージを表示させるための表示制御信号を出力している。従って、ＲＯＭ２６にはこの表示制御信号に対応した特別のメッセージを表示するデータが書き込まれている。
【００２９】
かかる構成において、各パチンコ機１０においては液晶表示器１１上にて遊技状態に即した表示が行われており、それぞれのパチンコ制御装置１２がビデオ信号を表示制御信号とを出力する。一方、ホールコンピュータ３０は第一切替器２７と第二切替器２８に制御信号を出力し、所定のルール、例えば、一定時間ごとに出力する信号を選択せしめる。この場合、基本的にはビデオ信号と表示制御信号とを別々のパチンコ制御装置１２から入力するのではなく、同じパチンコ制御装置１２から入力するようにすると、可変表示からメッセージの表示に変化する過程が表示される。
【００３０】
ホールコンピュータ３０は、一定時間ごとにホールの宣伝やお知らせを行なうために特定の表示制御信号を出力するとともに、第二切替器２８に対して当該ホールコンピュータ３０が出力する表示制御信号を選択せしめる。この表示制御信号が第二切替器２８より選択制御部２５に出力されると、同選択制御部２５はメッセージ表示部２３が出力するビデオ信号を選択部２４に対して選択せしめる。従って、ディスプレイ２１にはホールからのメッセージが優先的に表示される。
【００３１】
本実施例においては、ディスプレイ２１をホールに一台だけ設置するようにしているが、数台のパチンコ機１０に対して一台のディスプレイ２１を設置したり、一つの島に対して一台のディスプレイ２１を設置したりしてもよい。
また、上述した実施例においては、表示制御信号に応じてメッセージ表示部２３がビデオ信号をディスプレイ２１に出力しているが、メッセージ表示部２３は表示制御信号が一定の状態が継続したときに各種のメッセージを表示するようにしてもよい。表示制御信号が一定であるということは可変表示を始動せしめる入賞球が発生しないのであるから、可変表示を始動させるための打ち方のこつを指示したり、ホールからの案内を表示したりしてもよい。
【００３２】
さらに、上述した実施例においては、液晶表示器１１がビデオ信号を入力して表示を行なうようにしているが、ＲＧＢ信号を入力して表示を行なうものもある。
図７は、ＲＧＢ信号で液晶表示器に表示する場合の実施例を示している。
同図において、パチンコ制御装置１２内には、ＬＣＤ表示制御部１７の代わりにＲＧＢ駆動ＬＣＤ表示制御部１７ａが備えられ、液晶表示器１１の代わりにＲＧＢ駆動ＬＣＤ１１ａが備えられている。
【００３３】
一方、表示装置２０においては、上記ＲＧＢ駆動ＬＣＤ表示制御部１７ａが出力するＲＧＢ信号を入力してビデオ信号に変換するＲＧＢ／ＶＩＤＥＯコンバータ２９が備えられ、変換したビデオ信号をディスプレイ２１に出力している。
かかる構成においては、ＲＧＢ／ＶＩＤＥＯコンバータ２９を備えただけで、ＲＧＢ駆動ＬＣＤ１１ａの表示と全く同じ表示をディスプレイ２１上に表示させることができ、市販のテレビを利用できる。
【図面の簡単な説明】
【図１】本発明の一実施例にかかるパチンコ機の表示装置が配設されたパチンコ機を正面から見た図である。
【図２】本発明の一実施例にかかるパチンコ機の表示装置のブロック図である。
【図３】ディスプレイにおける三桁の数字列の表示例を示す図である。
【図４】ディスプレイにおけるメッセージの表示例を示す図である。
【図５】他の実施例にかかるパチンコ機の表示装置のブロック図である。
【図６】他の実施例にかかるパチンコ機の表示装置のブロック図である。
【図７】他の実施例にかかるパチンコ機の表示装置のブロック図である。
【符号の説明】
１０…パチンコ機
２０…表示装置
２１…ディスプレイ
２３…メッセージ表示部
２４…選択部
２５…選択制御部
２６…ＲＯＭ
２７…第一切替器
２８…第二切替器
２９…ＲＧＢ／ＶＩＤＥＯコンバータ
【図１】
0003938832.tif 000002
【図２】
0003938832.tif 000003
【図３】
0003938832.tif 000004
【図４】
0003938832.tif 000005
【図５】
0003938832.tif 000006
【図６】
0003938832.tif 000007
【図７】
0003938832.tif 000008